(57)【要約】【課題】クローラーのゴム履帯のくぼみに装着される滑り止め具において、部品点数を少なくしてコストの削減を図るとともに、氷雪面でのキック力を増大して滑り止め効果を向上できるクローラーのゴム履帯用滑り止め具を提供すること。【解決手段】ゴム履帯のくぼみ３の幅方向両端部に設けられる内側滑り止め体４と外側滑り止め体１７とは、少なくとも上下方向への変動自由度を有して剛体接合金具２１で接合され、両滑り止め体４、７は前後の突条９の頂面に渡る張り出し部８及び滑り止め爪１１が該頂面より高くして設けられ、かつ、滑り止め爪１１の上面にさらに背を高くした横滑り防止片１２が設けられる。【選択図】  図１
2004306790.tif 000002
【特許請求の範囲】
【請求項１】
クローラーのゴム履帯の突条間に形成される輪郭逆台形状のくぼみに係着され、両端がそれぞれゴム履帯の幅方向の内端縁と外端縁に係着される滑り止め具において、
前記くぼみの幅方向両端部に設けられる滑り止め体と、両滑り止め体を上下方向への変動自由に接合する剛体接合金具とから成り、前記滑り止め体はその上面にゴム履帯における前後の突条の頂面に渡る滑り止め爪が配設され、該滑り止め爪の上面に横滑り防止片が接合されたことを特徴とするクローラーのゴム履帯用滑り止め具。
【請求項２】
剛体接合金具が、帯状の板体と、その一端に立設されて一方の滑り止め体を上下動自在に接合する接合板と、挿入溝を設けて他端に立設され該挿入溝を介して他方の滑り止め体を上下動自在に接合する接合部とから成る請求項１記載のクローラーのゴム履帯用滑り止め具。
【請求項３】
剛体接合金具が、両端部に上下方向に貫通する係合孔を設けた所要長さの金具本体と、逆Ｌ形の止め金の垂直係合部が各係合孔に遊嵌され水平部に係止座を一体とした一対の係合子と、各係合子の係止座を前記金具本体に接合する接合手段とから成り、前記各垂直係合部において各滑り止め部材を係合して成る請求項１記載のクローラーのゴム履帯用滑り止め具。
【発明の詳細な説明】
【０００１】
【発明の属する技術分野】
本発明はクローラー（無限軌道車両）に用いられるゴム履帯に着脱自在に装着されて氷雪路面での滑り止めを図る滑り止め具に関する。
【０００２】
【従来の技術】
クローラーのゴム製の帯体に装着されて雪路や凍結路での滑り止めを図る先行技術は特開平１０−０１６８３６及び特開平１０−２９７５５６に提案されている。両者共に滑り止めの突起部材は、帯体の幅方向両端部でラグに係着されるものであるから抵抗面積が狭くてキック力が小さく、両突起部材を連結する索体やチェーンは凹条部に配設されるのでバランス上から左右両側の２組必要となり、突起部材の上面に突出する角部は帯体の幅方向に平行に配列されるため横滑り防止を図ることができない問題がある。
クローラーの帯状体の突条間に形成されるくぼみに装着される滑り止め具は実開平６−４２５６１に開示されているが、このものは柔らかい土壌での抵抗を大にしたもので氷雪面での使用効果は期待できない。
【０００３】
【発明が解決しようとする課題】
そこで本発明は、部品点数を少なくしてコストを削減するとともに、氷雪面でのキック力を増大して滑り止め効果を向上できるクローラーのゴム履帯用滑り止め具を提供しようとしている。
【０００４】
【課題を解決するための手段】
上記課題を達成するための請求項１に記載のクローラーのゴム履帯用滑り止め具は、クローラーのゴム履帯の突条間に形成される輪郭逆台形状のくぼみに係着され、両端がそれぞれゴム履帯の幅方向の内端縁と外端縁に係止される滑り止め具において、
前記くぼみの幅方向両端部に設けられる滑り止め体と、両滑り止め体を少なくとも上下方向への変動自由度をもって接合する剛体接合金具とから成り、前記滑り止め体はその上面にゴム履帯の前後の突条の頂面に渡る滑り止め爪が配設されるとともに、滑り止め爪の上面には横滑り防止片が接合されて成る。
請求項２に記載のクローラーのゴム履帯用滑り止め具は、請求項１に記載のクローラーのゴム履帯用滑り止め具において、
剛体接合金具が帯状の板体と、その一端に立設されて一方の滑り止め体を上下動自在に接合する接合板と、挿入溝を設けて他端に立設され、挿入溝を介して他方の滑り止め体を上下動自在に接合する接合部とから成る。
請求項３に記載のクローラーのゴム履帯用滑り止め具は、請求項１に記載のクローラーのゴム履帯用滑り止め具において、
剛体接合金具が、両端部に上下方向に貫通する係合孔を有する所要長さの金具本体と、逆Ｌ形の止め金の垂直係合部が各係合孔に遊嵌され水平部に係止座を一体とした一対の係合子と、各係合子の係止座を前記金具本体に接合する接合手段とから成る。
【０００５】
【発明の実施の形態】
滑り止め体の前後への張り出し部及び滑り止め爪は、くぼみの両端縁部で前後に突出する突条の頂面より突出し、その突出分が全表面積に渡って雪面に食い込む上、滑り止め爪の上面に接合された横滑り防止片もさらに深く食い込むため、大きなキック力を発現させる。この点から突条に沿う方向の垂直面はフラットのものから表面積を広くしたジグザグ面とするなどが選択される。
また、剛体接合金具の金具本体は、帯状板体のものから丸棒状の棒体なども含まれる。
【０００６】
【実施例１】
本発明を第１実施例のクローラーのゴム履帯用滑り止め具Ａから説明すると、図１は上記滑り止め具Ａの分解したものを示し、図１０に示すようにクローラー１の左側のゴム履帯２にある輪郭逆台形状のくぼみ３に係着される。その詳細は、図１中の上部及び図２に示した内側滑り止め体４がゴム履帯２の幅方向の内端縁５（図１０）にそのフック部６を外嵌して係着するとともに、分図（ｂ）に示す滑り止め本体７の前後への張り出し部８がクローラー１の前後に突出する突条９の頂面に載架されて凹状部１０がくぼみ３に嵌着される。張り出し部８の上面には両端（前後端）を両張り出し部８の各端に一致させた滑り止め爪１１を重畳接合し、滑り止め爪１１の上面には折曲外面を滑り止め本体７の外端に向けた丸棒によるくの字状の横滑り防止片１２が接合されている。フック部６の上面には図１に示すように、滑り止め本体７の外端からフック部６の外端に渡ってクローラーの突条９の頂面より突出する突き刺し部１３を有する爪体１４を接合し、滑り止め本体７の内端には、上下方向に挿通溝１５を形成した横向きＵ状の丸棒による接合子１６が設けられる。実施例ではクローラー１のゴム履帯２は、その幅方向の両端部が進行方向に対し平面視所要角度で後傾する姿勢に形成されているから、フック部６のくぼみ３に嵌着する部分を前記角度に一致させて滑り止め本体７の外端に接合している。
くぼみ３及び突条９がストレートのものではフック部６は滑り止め本体７の外端に直角に接合される。
次に、図４及び第１図中の下部に示した外側滑り止め体１７を説明すると、このものはゴム履帯２の幅方向の外端縁１８にフック部６を外嵌係着するとともに、滑り止め本体７の前後への張り出し部８がクローラー１の前後に突出する突条９の頂面に載架されて凹状部１０がくぼみ３に嵌着される。張り出し部８の上面には両端を両張り出し部８の各端に一致させた滑り止め爪１１を重畳接合し、滑り止め爪１１の上面には折曲外面を滑り止め本体７の外端に向けた丸棒によるくの字状の横滑り防止片１２が接合され、さらにフック部６の上面には、滑り止め本体７の外端からフック部６の外端に渡って突条９の頂面より突出する突き刺し部１３を有する爪体１４を接合し、滑り止め本体７の内端には、垂直な挿入壁に所要間隔で各径のボルト挿通孔１９を横設した挿入板２０が接合されている。
次に、図３及び第１図中央に示す剛体接合金具２１を説明すると、このものはくぼみ３の内底部に嵌着できる幅で所要長さの帯状の板体２２と、その一端で板幅の中央に立設されてその長手方向外端寄りに内側滑り止め体４の接合子１６の折曲軸部２３を係合する係合孔２４を横設した接合板２５と、他端で板幅の中央に挿入溝２６を縦設するとともに、板幅の端縁に立設する両垂直壁２７にボルト挿通孔２８を横設した接合部２９とから成る。
したがって、左側のゴム履帯２のくぼみ３において、それぞれ幅方向の内端縁５と外端縁１８とにそのフック部６を外嵌係着し、滑り止め本体７の凹状部１０をくぼみ３に嵌着する内側滑り止め体４と外側滑り止め体１７は、それぞれその接合子１６が剛体接合金具２１の接合板２５に係合され、その挿入板２０が剛体接合金具２１の接合部２９の挿入溝２６に挿入され、ボルト挿通孔２８に挿通したボルトにナット（図外）を螺合して接合し、図１０に示すように、クローラーのゴム履帯用滑り止め具Ａがゴム履帯２に装着される。
なお、右側のゴム履帯２に装着されるクローラーのゴム履帯用滑り止め具Ａ’の内側滑り止め体４’は図５（ａ）に示すように、図２に示した内側滑り止め体４と左右対称のものであり、その外側滑り止め体１７’も図５（ｃ）に示すように、図４に示した外側滑り止め体１７と左右対称のものであり、剛体接合金具２１’は図５（ｂ）に示すように、図３に示したものを反転して使用できるから同一のもので対応できる。
【０００７】
【実施例２】
第２実施例のクローラーのゴム履帯用滑り止め具Ｂを説明すると、図６に示したものは、図１０に示すクローラー１の左側のゴム履帯２において輪郭逆台形状のくぼみ３の幅方向における内端縁５に係着される内側滑り止め体４と、これを接合する剛体接合金具２１の要部を示したものである。
内側滑り止め体４は図６（ｂ）に示すように、その滑り止め本体７の前後への張り出し部８がゴム履帯２の前後に突出する突条９の頂面に載架されて凹状部１０がくぼみ３に嵌着され、張り出し部８の上面には両端を両張り出し部８の各端に一致させた滑り止め爪１１を重畳接合し、滑り止め爪１１の上面には図６（ｃ）に示すように、折曲外面を滑り止め本体７の外端に向けた丸棒によるくの字状の横滑り防止片１２が接合され、滑り止め本体７の内端には上下方向に挿通溝１５を形成した横向きＵ状の丸棒による接合子１６が設けられ、滑り止め本体７の外端には図６（ａ）に示すように、凹状部１０を塞ぐ垂直部３０とゴム履帯２の底面を支える支持部３１とから成るＬ形のフック部６が接合されて成る。
一方、左側のゴム履帯２においてくぼみ３の幅方向の外端縁１８に係着される外側滑り止め体１７は、図７に示すように、図６に示した内側滑り止め体４と左右対称のものであるから、その構成については同一の部材には同一符号を付してその説明を省略する。
内側滑り止め体４と外側滑り止め体１７とを接合する剛体接合金具２１について説明すると、図６（ａ）、図７（ａ）に示すように、両端部に上下方向に貫通する係合孔３２を設けた所要長さの帯状板体の金具本体３３と、逆Ｌ形の垂直係合部３４と水平部３５とからなる止め金３６に水平部３５を介して係止座３７を一体とした一対の係合子３８と、係止座３７に貫設するボルト孔３９、金具本体３３の要所に螺設されるネジ孔４０及びネジ孔４０に螺合して係止座３７を金具本体３３に接合するボルト４１、ボルト４１の緩み止めをするバネ座金などの接合手段４２とから成る。
したがって、係合子３８の垂直係合部３４がそれぞれ内側滑り止め体４及び外側滑り止め体１７の接合子１６の挿通溝１５に挿通されるとともに、金具本体３３の係合孔３２に係合した状態で係止座３７が金具本体３３にボルト４１で接合される。
また、図１０に示すクローラー１の右側のゴム履帯２に装着されるクローラーのゴム履帯用滑り止め具Ｂ’は左側のクローラーのゴム履帯用滑り止め具Ｂと同一構成となる。
右側のゴム履帯２においては、幅方向の内端縁５に係着される内側滑り止め体４は図７に示すクローラーのゴム履帯用滑り止め具Ｂの外側滑り止め体１７と同一であり、外端縁１８に係着される外側滑り止め体１７は図６に示すクローラーのゴム履帯用滑り止め具Ｂの内側滑り止め体４と同一であり、剛体接合金具２１も同一のものが使用される。このことからクローラーのゴム履帯用滑り止め具Ｂは極めて量産向きのものである。
【０００８】
【実施例３】
第３実施例のクローラーのゴム履帯用滑り止め具Ｃを説明すると、図８に示したものは、図１０に示すクローラー１の左側のゴム履帯２において、輪郭逆台形状のくぼみ３の幅方向における内端縁５に係着される内側滑り止め体４と、これを接合する剛体接合金具２１の要部を示したものである。
内側滑り止め体４は図８（ｂ）に示すように、その滑り止め本体７の前後への張り出し部８が前後に突出する突条９の頂面に載架されて凹状部１０がくぼみ３に嵌着され、張り出し部８の上面には両端を両張り出し部８の各端に一致させた滑り止め爪１１を重畳接合し、滑り止め爪１１の上面には図８（ｃ）に示すように、折曲外面を滑り止め本体７の外端に向けた丸棒によるくの字状の横滑り防止片１２が接合され、滑り止め本体７の内端には上下方向に挿通溝１５を形成した横向きＵ状の丸棒による接合子１６が設けられ、滑り止め本体７の外端には図８（ａ）に示すように、凹状部１０を塞ぐ垂直部３０と、垂直部３０の下方内面に円弧面４３（Ｒ部４４を通過するときの抵抗を小さくする。）を上方に向けて接合される支持部３１とから成り、滑り止め本体７の凹状部１０の下面と支持部３１の円弧面４３とでフックを形成するフック部６が接合されて成る。
フック部６を形成するにあたり、滑り止め本体７の凹状部１０の上面に、前後の突条９の頂面に渡る幅（両張り出し部８の各端間と同一幅）を有する逆Ｌ状の鉤板（図外）と支持部３１とで形成したり、滑り止め爪１１と垂直部３０を一体にした逆Ｌ状の鉤板（図外）と支持部３１とで形成することがある。
左側のゴム履帯２において、くぼみ３の幅方向の外端縁１８に係着される外側滑り止め体１７は、図９に示すように、図８に示した内側滑り止め体４と左右対称のものであるから、その構成については同一の部材には同一の符号を付してその説明を省略する。
前記両滑り止め体４、１７を接合する剛体接合金具２１もゴム履帯用滑り止め具Ｂにおける剛体接合金具２１と同一であるから、その構成については同一の部材には同一の符号を付してその説明を省略する。
図１０に示すクローラー１の右側のゴム履帯２に装着されるクローラーのゴム履帯用滑り止め具Ｃ’は、左側のクローラーのゴム履帯用滑り止め具Ｃと同一構成となる。
すなわち、右側のゴム履帯２においてその幅方向の内端縁５には図９に示すクローラーのゴム履帯用滑り止め具Ｃの外側滑り止め体１７が嵌着され、外端縁１８には図８に示す同滑り止め具Ｃの内側滑り止め体４が嵌着されるから、両者は当然に同滑り止め具Ｃの剛体接合金具２１で接合される。
【０００９】
クローラーのゴム履帯用滑り止め具Ａ乃至Ｃ（以下、単に本滑り止め具Ａ乃至Ｃとする。）の使用状態を説明すると、本滑り止め具Ａ乃至Ｃは、クローラー１の左右のゴム履帯２の各全周において８個のくぼみ３に装着される。その装着は各ゴム履帯２の内端縁側に接合される内側滑り止め体４のみが剛体接合金具２１に接合され、その状態でゴム履帯２の進行方向先端のＲ部４４で内端縁５に内側滑り止め体４のフック部６を外嵌するとともに、滑り止め本体７の凹状部１０をくぼみ３に嵌着し、その後に外端縁１８に外嵌した外側滑り止め体１７を剛体接合金具２１に接合し、次の装着個所が先端のＲ部４４に来るようにクローラー１を運転走行させ、前記作業により各ゴム履帯２には剛体接合金具２１を介して内側滑り止め体４と外側滑り止め体１７がそれぞれ内端縁５と外端縁１８に外嵌接合される。これらの作業を繰り返して各滑り止め具Ａ乃至Ｃが各ゴム履帯２に装着される。
【００１０】
クローラー１の両ゴム履帯２に装着された本滑り止め具Ａ乃至Ｃは、クローラー１の氷雪面走行時には各ゴム履帯２の内端縁部と外端縁部で突条９より高く突出した滑り止め爪１１の深い食い込みと、横滑り防止片１２のさらなる食い込みによって大きなキック力が発現するとともに横滑りが防止され、冬山運材での斜面走行で特段の威力を発揮する。
クローラー１の走行時に各ゴム履帯２の内端縁５及び外端縁１８に負荷される上下方向の曲げ荷重に対しては、剛体接合金具２１の接合板２５の係合孔２４と、接合部２９のボルト挿通孔２８においてそれぞれ内側滑り止め体４と外側滑り止め体１７は上下動自在に接合されるので曲げ応力が緩和されて剛体接合金具２１に亀裂や損傷が生じない。
なお、本滑り止め具Ａ乃至Ｃは全て金属製のもので提供され、滑り止め本体７は鋳物やプレス成形品又は溶接構造品として製造される。
【００１１】
【発明の効果】
本発明のクローラーのゴム履帯用滑り止め具はゴム履帯のくぼみに使用されるから装着個所の確保及び装着が容易であり、内側滑り止め体と外側滑り止め体とを接合する剛体接合金具は一組でバランスよく緊結できる上、突条の頂面より突出する部分は両頂面に渡って載架されるから、滑り止め本体の凹状部はくぼみの中で傾くことなく安定した姿勢で氷雪面に踏ん張り、大きなキック力を発現して滑り止めが図られる。請求項３に記載の発明では内外両滑り止め体及び剛体接合金具が量産向きの構造であるため、より一層のコスト削減が図られ安価に提供できる。
【図面の簡単な説明】
【図１】本発明のクローラーのゴム履帯用滑り止め具Ａの分解説明図である。
【図２】内側滑り止め体４の説明図であり、（ａ）はその平面図で、（ｂ）はその右側面図である。
【図３】剛体接合金具２１の説明図であり、（ａ）はその平面図で、（ｂ）はその右側面図である。
【図４】外側滑り止め体１７の説明図であり、（ａ）はその平面図であり、（ｂ）はその左側面図である。
【図５】クローラー１の右側のゴム履帯２に装着するクローラーのゴム履帯用滑り止め具Ａ’の分解説明図であり、（ａ）は内側滑り止め体４’の平面図で、（ｂ）は剛体接合金具２１’の平面図で、（ｃ）は外側滑り止め体１７’の平面図である。
【図６】本発明のクローラーのゴム履帯用滑り止め具Ｂの内側滑り止め体４の説明図であり、（ａ）はその剛体接合金具２１との関係を示す正面図で、（ｂ）はそのＰ矢視図で、（ｃ）はその平面図である。
【図７】本発明のクローラーのゴム履帯用滑り止め具Ｂの外側滑り止め体１７の説明図であり、（ａ）はその剛体接合金具２１との関係を示す正面図で、（ｂ）はそのＱ矢視図で、（ｃ）はその平面図である。
【図８】本発明のクローラーのゴム履帯用滑り止め具Ｃの内側滑り止め体４の説明図であり、（ａ）はその剛体接合金具２１との関係を示す正面図で、（ｂ）はその左側面図で、（ｃ）はその平面図である。
【図９】本発明のクローラーのゴム履帯用滑り止め具Ｃの外側滑り止め体１７の説明図であり、（ａ）はその剛体接合金具２１との関係を示す正面図で、（ｂ）はその右側面図で、（ｃ）はその平面図である。
【図１０】本発明のクローラー１のゴム履帯２への装着状態を示す説明図である。
【符号の説明】
１  クローラー
２  ゴム履帯
３  くぼみ
４  内側滑り止め体
５  内端縁
６  フック部
７  滑り止め本体
８  張り出し部
９  突条
１０  凹状部
１１  滑り止め爪
１２  横滑り防止片
１３  突き刺し部
１４  爪体
１５  挿通溝
１６  接合子
１７  外側滑り止め体
１８  外端縁
１９  ボルト挿通孔
２０  挿入板
２１  剛体接合金具
２２  板体
２３  折曲軸部
２４  係合孔
２５  接合板
２６  挿入溝
２７  垂直壁
２８  ボルト挿通孔
２９  接合部
３０  垂直部
３１  支持部
３２  係合孔
３３  金具本体
３４  垂直係合部
３５  水平部
３６  止め金
３７  係止座
３８  係合子
３９  ボルト孔
４０  ネジ孔
４１  ボルト
４２  接合手段
４３  円弧面
４４  Ｒ部
Ａ乃至Ｃ  クローラーのゴム履帯用滑り止め具
【図１】
2004306790.tif 000003
【図２】
2004306790.tif 000004
【図３】
2004306790.tif 000005
【図４】
2004306790.tif 000006
【図５】
2004306790.tif 000007
【図６】
2004306790.tif 000008
【図７】
2004306790.tif 000009
【図８】
2004306790.tif 000010
【図９】
2004306790.tif 000011
【図１０】
2004306790.tif 000012